(57)【要約】【課題】  利用者の誤操作を防ぐとともに設置場所の省スペース化を図ることができるデータ転送装置及びそのデータ転送装置に用いるアダプター装置を提供する。【解決手段】  情報端末機（携帯電話機）４０からのデータ取り出し及び情報端末機４０へのデータ書き込みの少なくとも一方を行うことができるデータ転送装置１０に用いるアダプター装置３０は、コンピュータ装置２０の表示部２１０を露出させるとともに操作部２２０を覆うように設けられたケーシング部材３１０を備える。ケーシング部材３１０の上面部は、複数のスリットからなる通気用開口部３２１と、情報端末機が載置される凹状の載置部３２２とを備える。載置部３２２の上面には、情報端末機の滑りを防止する滑り防止部材３２３を有する。また、ケーシング部材３１０は、操作部２２０の外部接続インターフェースに接続された接続ケーブル５０が通る通過孔を有する。【選択図】  図１
2007265133.tif 000002
【特許請求の範囲】
【請求項１】
情報端末機からのデータ取り出し及び情報端末機へのデータ書き込みの少なくとも一方を行うことができるデータ転送装置に用いるアダプター装置であって、
コンピュータ装置の表示部を露出させるとともに操作部を覆うように設けられたケーシング部材を備えたことを特徴とするアダプター装置。
【請求項２】
請求項１のアダプター装置において、
上記ケーシング部材の上面部に、複数のスリットからなる通気用開口部を備えたことを特徴とするアダプター装置。
【請求項３】
請求項１又は２のアダプター装置において、
上記ケーシング部材の上面部に、上記情報端末機が載置される凹状の載置部を備えたことを特徴とするアダプター装置。
【請求項４】
請求項３のアダプター装置において、
上記載置部の上面に、上記情報端末機の滑りを防止する滑り防止部材を有することを特徴とするアダプター装置。
【請求項５】
請求項１乃至４のいずれかのアダプター装置において、
上記ケーシング部材は、上記操作部の外部接続インターフェースに接続された接続ケーブルが通る通過孔を有することを特徴とするアダプター装置。
【請求項６】
請求項１乃至５のいずれかのアダプター装置において、
上記操作部の外部接続インターフェースに接続された接続ケーブルを複数に分岐する接続ケーブル分岐部を備え、
各接続ケーブルの端部はそれぞれ、複数種類の情報端末機に対応した互いに異なる専用コネクタが取り付けられていることを特徴とするアダプター装置。
【請求項７】
請求項１乃至６のいずれかのアダプター装置において、
上記ケーシング部材の上面部に、上記コンピュータ装置のポインティングデバイスに対向する開閉自在の蓋部を備えたことを特徴とするアダプター装置。
【請求項８】
請求項１乃至７のいずれかのアダプター装置において、
上記ケーシング部材における上記表示部に隣接する部分に、該表示部を閉じる向きの動きを規制する規制部を設けたことを特徴とするアダプター装置。
【請求項９】
情報端末機からのデータ取り出し及び情報端末機へのデータ書き込みの少なくとも一方を行うことができるデータ転送装置であって、
表示部及び操作部を有するコンピュータ装置と、
請求項１乃至８のいずれかのアダプター装置とを備えたことを特徴とするデータ転送装置。
【発明の詳細な説明】
【技術分野】
【０００１】
本発明は、携帯電話機等の情報端末機からのデータ取り出し及び情報端末機へのデータ書き込みの少なくとも一方を行うことができるデータ転送装置及びそのデータ転送装置に用いるアダプター装置に関するものである。
【背景技術】
【０００２】
従来、この種のデータ転送装置として、例えば汎用のパーソナルコンピュータに専用のアプリケーションソフトウェアをインストールして使用するものが知られている。このデータ転送装置では、パーソナルコンピュータの所定の外部接続インターフェース（例えば、ＵＳＢインターフェース）に、接続ケーブルを介して携帯電話機（情報通信端末機）を接続する。そして、上記専用のアプリケーションソフトウェアを起動し、パーソナルコンピュータと携帯電話機との間で通信を行うことにより、携帯電話機からのデータを取り出したり、携帯電話機へデータを書き込んだりすることができる。
【発明の開示】
【発明が解決しようとする課題】
【０００３】
ところで、上記ソフトウェアをインストールしたパーソナルコンピュータを、携帯電話機を販売する店舗店頭に設置して、顧客に開放し使用させる場合は、顧客に対して利便性を提供することができる。一方、例えば店舗店頭のスタッフがこれを利用する場合は、顧客が従前から保有する携帯電話機の買い換え等の際、買い換え元の携帯電話機より顧客の個人的な情報を新しい携帯電話機に転送する役務を行うことができるので、顧客に対して利便性の機会を与えることができる。
【０００４】
しかしながら、上記データ転送装置は汎用のパーソナルコンピュータを用いて構成するので、当該装置を利用する顧客が不用意に操作キーを操作したり、接続ケーブルの脱着を試みたりするなどして、あるいは勝手に電源操作を行うなどして、いたずらに取り扱う可能性がある。また、上記データ転送装置を店頭店舗に設置する場合は、店頭店舗の小スペース事情に鑑みた装置を提供することが望まれる。
【０００５】
本発明は以上の問題点に鑑みなされたものであり、その目的は、利用者の誤操作を防ぐとともに設置場所の省スペース化を図ることができるデータ転送装置及びそのデータ転送装置に用いるアダプター装置を提供することである。
【課題を解決するための手段】
【０００６】
上記目的を達成するために、請求項１の発明は、情報端末機からのデータ取り出し及び情報端末機へのデータ書き込みの少なくとも一方を行うことができるデータ転送装置に用いるアダプター装置であって、コンピュータ装置の表示部を露出させるとともに操作部を覆うように設けられたケーシング部材を備えたことを特徴とするものである。このアダプター装置では、コンピュータ装置の表示部を露出させるとともにケーシング部材でコンピュータ装置の操作部を覆うことができることにより、ケーシング部材の上に情報端末機を置くことができるので、情報端末機を置くためのスペースを、コンピュータ装置の操作部の横などに確保する必要がない。しかも、上記ケーシング部材でコンピュータ装置の操作部を覆っているので、利用者の手などが操作部に間違ってあたることによる誤操作の心配もない。
【０００７】
また、請求項２の発明は、請求項１のアダプター装置において、上記ケーシング部材の上面部に、複数のスリットからなる通気用開口部を備えたことを特徴とするものである。このアダプター装置では、コンピュータ装置内部から発生した熱を、ケーシング部材の上面部に形成した複数のスリットからなる通気用開口部から逃がすことができるため、コンピュータ装置本体の温度上昇を防止できる。
【０００８】
また、請求項３の発明は、請求項１又は２のアダプター装置において、上記ケーシング部材の上面部に、上記情報端末機が載置される凹状の載置部を備えたことを特徴とするものである。このアダプター装置では、ケーシング部材の上面部に形成した凹状の載置部に情報端末機を置いたときに、情報端末機が上面に沿ってずれようとしても凹状の載置部の周縁部で情報端末機が受け止められるので、情報端末機がケーシング部材の上面からずれ落ちない。
【０００９】
また、請求項４の発明は、請求項３のアダプター装置において、上記載置部の上面に、上記情報端末機の滑りを防止する滑り防止部材を有することを特徴とするものである。このアダプター装置では、上記凹状の載置部に置いた情報端末機の滑りが、載置部の底面にある滑り防止部材で防止できるので、載置部に置いた情報端末機が更に安定する。
【００１０】
また、請求項５の発明は、請求項１乃至４のいずれかのアダプター装置において、上記ケーシング部材は、上記操作部の外部接続インターフェースに接続された接続ケーブルが通る通過孔を有することを特徴とするものである。このアダプター装置では、コンピュータ装置の操作部にある外部接続インターフェースの部分がケーシング部材で囲まれている場合でも、その外部接続インターフェースに接続された接続ケーブルを、ケーシング部材の通過孔を通して外側に出すことができる。このケーシング部材の通過孔を通した接続ケーブルを介して上記操作部の外部接続インターフェースと情報端末機とを確実に接続できる。
【００１１】
また、請求項６の発明は、請求項１乃至５のいずれかのアダプター装置において、上記操作部の外部接続インターフェースに接続された接続ケーブルを複数に分岐する接続ケーブル分岐部を備え、各接続ケーブルの端部はそれぞれ、複数種類の情報端末機に対応した互いに異なる専用コネクタが取り付けられていることを特徴とするものである。このアダプター装置では、データ転送対象の情報端末機の種類に応じて、接続ケーブル分岐部で分岐された複数の接続ケーブルから、情報端末機に適合する専用のコネクタが取り付けられたいずれかの接続ケーブルを選択して使用できるので、情報端末機の種類ごとに接続ケーブルを交換するような煩雑な操作が不要になる。
【００１２】
また、請求項７の発明は、請求項１乃至６のいずれかのアダプター装置において、上記ケーシング部材の上面部に、上記コンピュータ装置のポインティングデバイスに対向する開閉自在の蓋部を備えたことを特徴とするものである。このアダプター装置では、コンピュータ装置を使い慣れた操作者が、ポインティングデバイスを使用したいときには、ポインティングデバイスに対向する蓋部を開くことにより、ポインティングデバイスを使用できるので、操作性が向上する。
【００１３】
また、請求項８の発明は、請求項１乃至７のいずれかのアダプター装置において、上記ケーシング部材における上記表示部が露出するように設けられた表示部用の開口の周縁部に、該表示部の下部側面を支える支持部を設けたことを特徴とするものである。このアダプター装置では、ケーシング部材の表示部用の開口の周縁部に設けた支持部により、表示部用の開口から露出する表示部が倒れないように表示部の下部側面を支えることができるので、表示部を閉じる誤操作を防止できる。
【００１４】
また、請求項９の発明は、情報端末機からのデータ取り出し及び情報端末機へのデータ書き込みの少なくとも一方を行うことができるデータ転送装置であって、表示部及び操作部を有するコンピュータ装置と、請求項１乃至８のいずれかのアダプター装置とを備えたことを特徴とするものである。
【発明の効果】
【００１５】
本発明によれば、コンピュータ装置の表示部を露出させるとともにケーシング部材でコンピュータ装置の操作部を覆うことにより、ケーシング部材の上に情報端末機を置くことができる。従って、情報端末機を置くためのスペースを、コンピュータ装置の操作部の横などに確保する必要がなく、設置場所の省スペース化を図ることができる。しかも、上記ケーシング部材でコンピュータ装置の操作部を覆うことにより、利用者の手などが操作部に間違ってあたることによる誤操作の心配がないので、利用者の誤操作を防止できる。
【発明を実施するための最良の形態】
【００１６】
以下、本発明を複数種類の携帯電話機を接続して使用可能なデータ転送装置に適用した実施形態について説明する。
図１は本実施形態に係るデータ転送装置の斜視図である。本実施形態のデータ転送装置１０は、電子計算機であるノートブック型のコンピュータ装置（以下、「ノートパソコン」という。）２０と、そのノートパソコン２０の操作部に装着するアダプター装置３０とを備えている。アダプター装置３０は、ケーシング部材３１０と、そのケーシング部材３１０の内部に設けた接続ケーブル分岐部とを備えている。
【００１７】
上記ケーシング部材３１０は、ノートパソコン２０の表示部２１０を露出させるとともに操作部２２０（図２参照）を覆うように設けられている。また、ノートパソコン２０の操作部２２０の上面部には、各種キーからなるキーボード部２２１やポインティングデバイス２２２等が設けられている。さらに、このノートパソコン２０の例では、操作部２２０と表示部２１０とを接合するヒンジ部にほど近い操作部の上面に、電源スイッチ部２２３を備えている。ケーシング部材３１０は、上ケース３２０及び下ケース３３０を組み合わせて構成されている。上記接続ケーブル分岐部は、下ケース３３０の内部に設けてあり、ノートパソコン２０の操作部２２０の外部接続インターフェースに接続された接続ケーブルを複数に分岐するものである。ノートパソコン２０と接続ケーブル分岐部とは、接続インターフェースを介してケーブルやアタッチメントコネクタ等により接続され、顧客がいたずらに触れないよう、正面からは視認できない位置に配置されている。複数の接続ケーブル５０は、下ケース３３０の正面側板３３０Ａに形成されているケーブル通過孔３３１を通って外側に出すことができる。各接続ケーブル５０の先端部には、外部接続インターフェースが異なる各種の携帯電話機４０に対応させて専用のコネクタ５１が取り付けられている。例えば、ＰＤＣ（Personal Digital Cellular）携帯電話機のシリアル端子用のコネクタ、ＰＤＣ携帯電話機のＵＳＢ（Universal Serial Bus）端子用のコネクタ、第３世代携帯電話機の端子用のコネクタ等が取り付けられている。更に、メーカ独自仕様の端子を有する携帯電話機に対応するコネクタも取り付けられている。なお、これらコネクタは、装置の設置後に増減設がいつでもできるよう、接続ケーブル分岐部とは汎用のコネクタで接続されるとともに、ケーブル通過孔３３１は複数設けられている。
【００１８】
上記各コネクタ５１の表面には、そのコネクタに接続可能な携帯電話機の種類を示す端末識別記号と、コネクタの上下（表裏）を識別するための上下識別記号（例えば、おもてに対して「Ａ」，裏に対して「Ｂ」）とが付されている。
【００１９】
また、下ケース３３０の正面側板３３０Ａには、各種のメモリカード６０を装着できるように複数のメモリーカードスロット３３２が設けられている。このメモリカード６０には、携帯電話機４０から読み出したデータを保存したり、携帯電話機４０へ書き込むコピー対象のデータを保存しておいたりすることができる。
【００２０】
図３は、上記ケーシング部材３１０の上ケース３２０の平面図である。この上ケース３２０の上面部には、複数のスリットからなる通気用開口部３２１が複数列（図示の例では９列）形成されている。この通気用開口部３２１の格子状のスリットを通して、操作部２２０で発生した熱が放出されるため、操作部２２０を空冷することができる。また、上記上ケース３２０の上面部には、情報端末機としての携帯電話機４０が載置される凹状の載置部３２２が２箇所設けられている。この載置部３２２の深さＤは、載置した携帯電話機４０がずれない程度で必要最小限に設定するのが好ましい（図４参照）。また、各載置部３２２の底面部には、載置部３２２に載置した携帯電話機４０のずれをより確実に防止するために、複数のゴム材などからなる滑り防止部材３２３が取り付けられている。この滑り防止部材３２３の高さＨは、携帯電話機４０がぐらつかない程度に設定するのが好ましい。また、滑り防止部材３２３の高さＨは、低すぎると、後述する携帯電話機４０と接続ケーブル５０の接続の際にケーブルコネクタ５１が上ケース３２０と干渉してしまうため、かかる干渉が発生しない程度に設定するのが好ましい。これら事情を鑑みて、深さＤを２〜１０ｍｍ程度に、高さＨを１〜５ｍｍ程度とすることが望ましい。また、本装置を携帯電話機以外の情報端末機に適用する場合には、深さＤを０．５〜２０ｍｍ程度に、高さＨを０．１〜１０ｍｍ程度とすることにより、より高い効果を得ることができる。
【００２１】
また、本実施形態のアダプター装置３０は、下ケース３３０の両側面に、凹形状をした把手部３３３が設けられている。この把手部３３３の上面端部には人の指にひっかかりを与える程度に下側に突起した突起部３３３Ａが備えてある。後述するとおり、本実施形態のデータ転送装置１０は表示部２１０を閉じることができないように構成されるところ、店舗店頭に設置するものであることから、日々の業務上片付けの際取り回しが不便となるが、上記把手部３３３を設けることにより荷搬が容易となり、また突起部３３３Ａの所在により、さらに取り回しに配慮した構成となっている。
【００２２】
また、本実施形態のアダプター装置３０では、コンピュータ装置２０が載置される下ケース３３０の上面を、装置手前側が低く奥側が高くなるよう傾斜させている。この下ケース上面の傾斜により、コンピュータ装置２０の操作部で発生する熱の流動を機械的に誘導して、通気用開口部３２１より効率的に放熱をすることができる。
【００２３】
また、上記上ケース３２０の右側面には、マウスを接続するためのＵＳＢ端子（不図示）が設けられている。更に、上記上ケース３２０の上面部には、ノートパソコン２０の操作部２２０の手前上面にあるポインティングデバイス２２２（図２参照）に対向する開閉自在の蓋部３２４が設けられている。したがって、通常のオペレーション操作はＵＳＢ端子に接続されるマウスを用いて行うことができるが、マウスが故障したりした場合など、マウスを用いずに操作部２２０のポインティングデバイス２２２を使用する必要が生じたときは、蓋部３２４の端部に設けられている把手３２４Ａを操作して上ケース本体との係合を解除し、蓋部３２４を取り外すことにより、ノートパソコン２０のポインティングデバイス２２２を露出させ、使用することができるので、いちいちアダプター装置３０を取り外す手間が省ける。
【００２４】
また、上記上ケース３２０の奥側端部に程近い上面部には、ノートパソコン２０の電源スイッチ部２２３と対向する部分に、電源スイッチ部２２３を操作できる程度の大きさの電源操作用開口３２６が形成されている。そして、この電源操作用開口３２６を必要に応じて開閉するためのスライドカバー３２７が、電源操作用開口３２６の内側に設けられている。これにより、通常操作時は顧客の不用意な電源操作を防止するとともに、店舗店頭スタッフの日常のオペレーションを容易とすることができる。なお、よりオペレーションを容易とするためには、図３に示すように、上記スライドカバー３２７を連動し開閉可能とする引手部３２８を、上ケース３２０の端部に位置させるように構成することが好ましい。
【００２５】
図５は、上ケース３２０奥側端部の突起部の断面図である。ケーシング部材３１０の上ケース３２０における表示部２１０に隣接する部分には、表示部２１０を閉じる向きの動きを規制する規制部としての突起部３２５が設けられている。この突起部３２５により、表示部２１０を図５中の矢印Ｂ方向すなわち手前側に倒して閉じるのを規制することができる。従って、本データ転送装置の使用中に利用者が間違って表示部２１０を閉じるという誤操作を防止できる。上記突起部３２５の高さは、表示部２１０のじゃまにならず且つ表示部２２０の手前側への動きを十分に規制できる程度の高さ、すなわち１２ｍｍ〜２２ｍｍ程度（特に、１７．４ｍｍとすることが好ましい）に設定されている。もっとも、表示部２１０が閉じない程度の高さであれば充分であることから、表示部２１０の大きさ等に配慮して５ｍｍ〜３０ｍｍ程度の範囲より、最適な高さを選択すればよい。
【００２６】
図６は、上記構成のデータ転送装置１０を使用している様子を示す斜視図である。例えば古い携帯電話機４０Ａから新しい携帯電話機４０Ｂにメモリダイヤル等のデータを転送するときには、データ転送装置１０の２つの載置部３２２上にそれぞれ、新旧の携帯電話機４０Ａ，４０Ｂをそれぞれ載置する。そして、まず、図６に示すようにデータ転送元の旧携帯電話機４０Ａに所定の接続ケーブル５０Ａを接続する。この状態で、所定のデータ転送用ソフトウェアを起動し、初期設定、機種選択、ケーブル選択、認証処理などを実行した後、旧携帯電話機４０Ａから転送対象のメモリダイヤルなどのデータをノートパソコン２０内のメモリに一旦読み出して保存する。次に、図７に示すように、旧携帯電話機４０Ａから接続ケーブル５０Ａを外し、データ転送先の新携帯電話機４０Ｂに所定の接続ケーブル５０Ｂを接続する。この状態で、ノートパソコン２０内のメモリに保存していた転送対象のデータを新携帯電話機４０Ｂに書き込む。
【００２７】
以上、本実施形態によれば、ケーシング部材３０の上に携帯電話機４０を置くことができるため、携帯電話機４０を置くためのスペースを、ノートパソコンの操作部の横などに確保する必要がないので、設置場所の省スペース化を図ることができる。しかも、上記ケーシング部材３０は、ノートパソコン２０の表示部２１０を露出させるとともに操作部２２０を覆っていることにより、利用者の手などが操作部２２０に間違ってあたることによる誤操作の心配がないので、利用者の誤操作を防止できる。
【００２８】
また、本実施形態のアダプター装置３０は、上ケース３２０と下ケース３３０を組み合せて構成しているので、例えば本アダプター装置３０を備えたデータ転送装置１０を店頭店舗に設置することなく、カウンター裏などで店舗スタッフのみが利用する場合にも好適な利用態様が可能となる。すなわち、このような利用態様の場合は、上ケース３２０を取り外し、下ケース３３０のみの構成とすることで、ノートパソコン２０の基台として用いることができる。また、接続ケーブル分岐部やケーブル５０等は下ケース３３０に構成しているので、データ転送装置１０の本来の機能を損なうことなく用いられる。さらに、この利用態様の場合は、ノートパソコン２０が設置される下ケース３３０の上面の傾斜により、ノートパソコン２０の操作部の上面を、手前側が低くなるように傾斜させることができるので、操作キーのキーオペレーションが楽になる。
【００２９】
以上、本発明の好ましい実施形態を説明したが、本発明の範囲又は精神から逸脱することなく、特許請求の範囲に記載された技術的事項の範囲内において、開示した実施形態に種々の変更を加えることができる。
【００３０】
例えば、本発明は、携帯電話機に限定することなく、様々な移動体通信端末等の情報端末機に適用することができる。すなわち、本発明における「情報端末機」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「情報端末機」としては、上記電話機のほか、通話機能を有するＰＤＡ（Personal Digital Assistance）等の通信端末も挙げられる。
【図面の簡単な説明】
【００３１】
【図１】本発明の実施形態に係るデータ転送装置の斜視図。
【図２】データ転送装置に用いるノートパソコンの斜視図。
【図３】ケーシング部材の上ケースの平面図。
【図４】図３の上ケースのＡ−Ａ方向から見た部分断面図。
【図５】上ケース奥側端部の突起部の断面図。
【図６】データ転送元の携帯電話機を接続したデータ転送装置の斜視図。
【図７】データ転送先の携帯電話機を接続したデータ転送装置の斜視図。
【符号の説明】
【００３２】
１０    データ転送装置
２０    コンピュータ装置（ノートパソコン）
３０    アダプター装置
４０    携帯電話機
５０    接続ケーブル
５１    コネクタ
６０    メモリカード
２１０  表示部
２２０  操作部
２２１  キーボード部
２２２  ポインティングデバイス
３１０  ケーシング部材
３２０  上ケース
３２１  通気用開口部
３２２  載置部
３２３  滑り防止部材
３２４  蓋部
３２５  突起部
３２６  電源操作用開口
３２７  スライドカバー
３３０  下ケース
３３１  ケーブル通過孔
３３２  メモリーカードスロット
３３３  把手部
【図１】
2007265133.tif 000003
【図２】
2007265133.tif 000004
【図３】
2007265133.tif 000005
【図４】
2007265133.tif 000006
【図５】
2007265133.tif 000007
【図６】
2007265133.tif 000008
【図７】
2007265133.tif 000009